(57)【特許請求の範囲】
【請求項１】
記録領域において記録を行う記録ヘッドを搭載して移動するキャリッジと、
前記記録領域を外れた前記キャリッジの移動に追従して移動し、第１の位置と、前記第１の位置よりも前記キャリッジの移動方向において前記記録領域から遠く、前記第１の位置よりも前記キャリッジの移動方向に交差する交差方向において前記記録ヘッドに近い第２の位置と、に移動可能なスライダと、
前記スライダを前記第１の位置へ付勢する引張ばねと、を備える記録装置であって、
前記スライダが前記第１の位置から前記第２の位置に移動する際に、前記引張ばねの作用点が前記交差方向において前記引張ばねの支点に近づくように移動することを特徴とする記録装置。
【請求項２】
前記スライダが前記第１の位置にあるときに、前記支点が前記交差方向において前記作用点よりも上方に位置することを特徴とする請求項１に記載の記録装置。
【請求項３】
前記スライダが前記第２の位置にあるときに、前記支点と前記作用点とを結ぶ直線が前記移動方向と略平行となることを特徴とする請求項１または２に記載の記録装置。
【請求項４】
前記スライダが前記第１の位置から前記第２の位置に移動する際に前記スライダの位置を規制するカム部材をさらに有し、
前記作用点は、前記カム部材によって規制される前記スライダの被規制部よりも、前記交差方向において上方に位置することを特徴とする請求項１ないし３のいずれか１項に記載の記録装置。
【請求項５】
前記支点は、前記記録装置の本体に前記引張ばねの一端が掛けられた第１ばね掛け部であり、前記作用点は、前記スライダに前記引張ばねの他端が掛けられた第２ばね掛け部であることを特徴とする請求項１ないし４のいずれか１項に記載の記録装置。
【請求項６】
前記スライダは、前記記録ヘッドの吐出口面をキャッピングするためのキャップが配されていることを特徴とする請求項１ないし５のいずれか１項に記載の記録装置。
【請求項７】
前記第２の位置は、前記キャップが前記吐出口面をキャッピングすることが可能な位置であることを特徴とする請求項６に記載の記録装置。
【請求項８】
前記スライダは、前記記録ヘッドの吐出口面を払拭するためのワイパーが配されていることを特徴とする請求項１ないし７のいずれか１項に記載の記録装置。
【請求項９】
前記ワイパーが前記吐出口面を払拭することが可能な第３の位置は、前記第１の位置と前記第２の位置の間にあることを特徴とする請求項８に記載の記録装置。
【発明の詳細な説明】
【技術分野】
【０００１】
本発明は、記録ヘッドから記録媒体にインクを吐出することによって記録を行う記録装置に関する。
【背景技術】
【０００２】
従来、インクジェット記録装置は、インク吐出口の目詰まり等を解消することを目的として、吐出口面を払拭するためのワイピング機構、吐出口面を覆うためのキャッピング機構、及び吐出口からインクを吸引するためのポンプ機構等を有する回復部を備える。回復部の構成としては、例えば特許文献１、２のように、記録ヘッドを搭載したキャリッジの移動に追従して所定の範囲内で移動可能なスライダが備えられており、このスライダにキャップ及びワイパーが搭載された構成が知られている。そして、スライダの移動においてスライダの位置を規制するカム面が備えられており、スライダはカム面に沿って、上下位置を制御されながらキャリッジの移動方向に移動可能である。スライダはスライダばね（引張ばね）によりキャリッジの移動に追従しない退避位置へと付勢されており、キャリッジが所定の範囲から離れた際に、スライダはスライダばねの付勢力により退避位置に戻る。
【０００３】
スライダを退避位置に引き戻せるように、ある位置Ａにおいて所定のスライド方向付勢力を確保する必要がある。一方、駆動負荷のことを考えると、位置Ａよりも退避位置から離れる側の位置におけるスライド方向付勢力の増大を抑制することが望ましい。
【先行技術文献】
【特許文献】
【０００４】
【特許文献１】特開２００６−３１５２６８号公報
【特許文献２】特開２０１３−６０００３号公報
【発明の概要】
【発明が解決しようとする課題】
【０００５】
位置Ａよりも退避位置から離れる側の位置におけるスライド方向付勢力の増大を抑制するように、ばね定数の小さいスライダばねを採用することが考えられる。
【０００６】
しかしながら、特許文献１、２のようなインクジェット記録装置では、スライダが退避位置にある際に、スライダばねの付勢方向は斜め下方となる。そして、スライダが退避位置から離れるように移動する際に、スライダばねの作用点がキャリッジの移動方向に直交する方向においてスライダばねの支点から離れるように移動するので、スライダばねの付勢方向は常に斜め下方となっている（図１１、１２参照）。このようなインクジェット記録装置では、スライダばねの付勢方向とスライダのスライド方向のなす角の変化量が小さい。ばね定数の小さいスライダばねを採用すれば、スライダが位置Ａから、位置Ａよりも退避位置から遠い位置に移動する際のスライド方向付勢力の増大を抑制することができるが、位置Ａから退避位置へ戻る際のスライド方向付勢力の低減も抑制されてしまう。その結果、スライダが退避位置へ戻る際のスライド方向付勢力を十分に低減できず、衝撃力が大きく、大きい衝突音が発生してしまうことがある。
【０００７】
本発明は、上述のような課題に鑑みてなされたものであり、スライダが退避位置から遠い位置にある際の駆動負荷を抑制しつつ退避位置へ戻る際の衝撃力を低減することが可能な記録装置を提供することを目的とする。
【課題を解決するための手段】
【０００８】
本発明の記録装置は、記録領域において記録を行う記録ヘッドを搭載して移動するキャリッジと、前記記録領域を外れた前記キャリッジの移動に追従して移動し、第１の位置と、前記第１の位置よりも前記キャリッジの移動方向において前記記録領域から遠く、前記第１の位置よりも前記キャリッジの移動方向に交差する交差方向において前記記録ヘッドに近い第２の位置と、に移動可能なスライダと、前記スライダを前記第１の位置へ付勢する引張ばねと、を備える記録装置であって、前記スライダが前記第１の位置から前記第２の位置に移動する際に、前記引張ばねの作用点が前記交差方向において前記引張ばねの支点に近づくように移動することを特徴とする。
【発明の効果】
【０００９】
本発明によれば、スライダが退避位置から遠い位置にある際の駆動負荷を抑制しつつ退避位置へ戻る際の衝撃力を低減することが可能となる。
【図面の簡単な説明】
【００１０】
【図１】実施形態１におけるインクジェット記録装置を示す斜視図である。
【図２】実施形態１における記録部の詳細を示す底面図である。
【図３】実施形態１における回復部の詳細を示す斜視図である。
【図４】実施形態１におけるロックレバーの詳細を示す斜視図である。
【図５】実施形態１における単独キャッピングを説明するための図である。
【図６】実施形態１におけるスライダが退避位置にある状態の回復部を示す一部破断正面図である。
【図７】実施形態１におけるスライダがワイピング位置にある状態の回復部を示す一部破断正面図である。
【図８】実施形態１におけるスライダが単独キャッピング位置にある状態の回復部を示す一部破断正面図である。
【図９】実施形態１におけるスライダが同時キャッピング位置にある状態の回復部を示す一部破断正面図である。
【図１０】実施形態１におけるスライド方向ばね付勢力の変化率を説明するための図である。
【図１１】従来のスライダばねの付勢方向の場合におけるスライダが退避位置にある状態の回復部を示す一部破断正面図である。
【図１２】従来のスライダばねの付勢方向の場合におけるスライダが同時キャッピング位置にある状態の回復部を示す一部破断正面図である。
【発明を実施するための形態】
【００１１】
以下、本発明の実施形態について、図面を参照しながら具体的に説明する。なお、各図面を通じて同一符号は、同一または対応部分を示すものである。
【００１２】
［実施形態１］
図１は本実施形態におけるインクジェット記録装置を示す斜視図である。図１に示すように、インクジェット記録装置は、給紙部１０１と、搬送部１０２と、記録部１０３と、回復部１０４とを備えている。給紙部１０１は、シート（記録媒体）を装置本体内へ供給する。搬送部１０２は、給紙部１０１により供給された記録媒体を搬送方向（Ｙ方向）に搬送する。記録部１０３は、画像の記録データに基づいて動作し、記録媒体に画像を記録する。回復部１０４は、記録ヘッドのインク吐出性能を維持または回復するものである。
【００１３】
給紙部１０１に積載された記録媒体は、給紙モータによって駆動される給紙ローラによって１枚ずつ分離されて送り出され、搬送部１０２へと供給される。搬送部１０２に供給された記録媒体は、搬送モータによって駆動される搬送ローラ１２１及びピンチローラ１２２に挟持されることによって記録部１０３を通じて搬送される。記録部１０３は、記録媒体に対して記録を行う。記録ヘッドが搭載された主走査方向（Ｙ方向と直交するＸ方向）に往復移動可能なキャリッジ６を画像の記録データに基づいて駆動させ、記録ヘッドの吐出口からインクを吐出させることで画像を記録する。画像記録後の記録媒体は、搬送ローラ１２１と同期駆動される排紙ローラ及び拍車に挟持されることによって装置本体外へ排出される。
【００１４】
（記録部）
記録部１０３は、主走査方向に往復移動可能なキャリッジ６と、キャリッジ６に搭載された記録カートリッジとを備えている。
【００１５】
キャリッジ６は、装置本体に設置されたガイドレールに沿って往復移動可能に案内支持されている。キャリッジ６の往復移動は、キャリッジモータによりキャリッジベルト１２４を介して駆動される。また、キャリッジに搭載されたエンコーダセンサと装置本体側に張架されたエンコーダスケール１２５とによってキャリッジ６の位置及び速度を検出する結果に基づき、キャリッジ６の往復移動が制御される。キャリッジ６の移動（主走査）と同期して行われる記録ヘッド５の記録動作と、記録媒体の所定ピッチごとの搬送（副走査）とを繰り返すことによって記録媒体全体への記録が行われる。
【００１６】
図２は図１に示した記録部１０３の詳細を示す底面図である。図２に示すように、キャリッジ６には、２つの記録カートリッジ、すなわち、カラー用記録カートリッジ３Ａ及び単色用記録カートリッジ３Ｂが搭載されている。カラー用記録カートリッジ３Ａには複数色のインクを用いて記録を行う記録ヘッド５Ａが設けられている。単色用記録カートリッジ３Ｂには単色のインク（例えばブラック）を用いて記録を行う記録ヘッド５Ｂが設けられている。例えば、記録ヘッド５Ａの吐出口面５１にはシアン、マゼンタ及びイエローの３色のインクを吐出する吐出口列が形成されている。記録ヘッド５Ｂの吐出口面５２にはブラックなどの単色のインクを吐出する吐出口列が形成されている。
【００１７】
また、各記録カートリッジは記録ヘッド５とインクタンクとを一体化したインクカートリッジとして構成されている。記録ヘッド５と一体化したインクタンク（サブタンク）を介して、メインタンク１３１に貯留したインクが記録ヘッド５へ供給される。
【００１８】
（回復部）
回復部１０４は、記録ヘッド５の吐出口の目詰まり等を解消することで、記録される画像の品位を正常な状態に維持または回復するために備えられている。回復部１０４は、吐出口面を払拭するためのワイピング機構と、吐出口面を覆うためのキャッピング機構と、吐出口からインクを吸引するためのポンプ機構とを備えている。また、回復部１０４は、キャリッジ６が記録媒体に記録を行う記録領域から回復部１０４に向かって移動してきた際に、キャリッジ６の移動に追従して所定の範囲内で移動可能なスライダ７を備えている。スライダ７には、ワイピング機構のワイパー８、９及びキャッピング機構のキャップ１Ａ、１Ｂが搭載されている。
【００１９】
図３は図１に示した回復部１０４の詳細を示す斜視図である。スライダ７には、キャリッジ６の移動に追従して所定の範囲内で移動するためにキャリッジ６の側面と当接する突き当て部７ａが設けられている。キャリッジ６が、記録領域から回復部１０４に向かって移動したときに、キャリッジ６の側面がスライダ７の突き当て部７ａに当接すると、スライダ７は、キャリッジ６の移動に追従して、キャリッジ６と共に−Ｘ方向へ移動する。これによって、スライダ７は、搭載されたワイパー８、９及びキャップ１Ａ、１Ｂが記録ヘッド５から離れる退避位置から、ワイパー８、９によって記録ヘッド５の吐出口面５１、５２を払拭することが可能なワイピング位置に移動可能となる。さらに、キャップ１Ａ、１Ｂによって記録ヘッド５の吐出口面５１、５２を覆うことが可能なキャッピング位置にも移動可能となる。
【００２０】
スライダ７の両側面には、合計４箇所にキャリッジ６の移動方向と直交（または交差）する方向へ突出した突出部７ｂが設けられている。４箇所の突出部７ｂは、装置本体に設けられたスライダカム１３ａに当接している。スライダ７の移動は、装置本体に設けられたスライダカム１３ａのカム面に沿って、４箇所の突出部７ｂがスライドすることにより行われる。従って、スライダ７は、キャリッジ６の移動に追従して移動する際に、各位置（退避位置、ワイピング位置、キャッピング位置等）において、吐出口面５１、５２に対して所定の高さになるように制御される。すなわち、キャリッジ６の移動方向と直交する直交方向（または交差する交差方向）において、ワイピング位置は、退避位置よりも吐出口面５１、５２の近くに位置し、キャッピング位置は、ワイピング位置よりもさらに吐出口面５１、５２の近くに位置する。
【００２１】
ワイピング機構として、カラー記録ヘッド５Ａの吐出口面５１を払拭するためのワイパー８及びブラック記録ヘッド５Ｂの吐出口面５２を払拭するためのワイパー９は、スライダ７に取り付けられている。スライダ７がワイピング位置に移動された際、記録部１０３と回復部１０４とを相対的にＸ方向に移動させ、吐出口面５１、５２とワイパー８、９とを接触させることにより、吐出口面の払拭が行われる。
【００２２】
キャッピング機構として、吐出口面５１、５２をキャッピングするためのキャップ１Ａ、１Ｂは、キャップホルダ２Ａ、２Ｂに取り付けられている。各キャップホルダ２Ａ、２Ｂは、４箇所の爪部によってスライダ７に取り付けられている。各キャップホルダ２Ａ、２Ｂとスライダ７との間にはキャップばねが配置されており、キャップ１Ａ、１Ｂが取り付けられたキャップホルダ２Ａ、２Ｂは吐出口面５１、５２に向かって付勢されている。
【００２３】
キャッピング機構の各キャップはチューブなどを介してポンプ機構（図示せず）に接続されている。ポンプ機構は、キャップが記録ヘッド５の吐出口をキャッピングした状態において、記録ヘッド５の吐出口からインクを吸引する。また、ワイパー８、９及びキャップ１Ａ、１Ｂは、記録領域側からワイパー８、キャップ１Ａ、ワイパー９、キャップ１Ｂの順に配置されている。
【００２４】
図３に示すように、スライダ７上には、記録領域側端部における搬送方向下流側の部位に、スライダ７をワイピング位置にロック（係止）するように動作する係止部材として、ロックレバー１６が取り付けられている。ロックレバー１６は、スライダ７をワイピング位置に係止する係止位置と、スライダ７の係止状態を解除する解除位置と、に回転移動可能に取り付けられている。ロックレバー１６は、キャリッジ６が記録ヘッド５の吐出口面５１、５２を払拭するためにワイピング位置まで移動してきたときに、スライダ７を装置本体側に係止することによって、スライダ７の移動を規制するように動作する。
【００２５】
図４は本実施形態におけるロックレバーの詳細を示す斜視図であり、スライダ７をワイピング位置に係止する係止位置に移動されたロックレバーの拡大図である。図４に示すように、係止位置は、ロックレバー１６の突出部１６ｆがスライダ７に当接することでスライダ７をワイピング位置に係止した状態の位置である。
【００２６】
図３に戻り、ロックレバー１６は、キャリッジ６の移動方向と直交する面内で回転移動可能に支持されている。ロックレバー１６は、支持軸１６ｅを有し、その軸を中心として回転移動可能に支持されている。さらに、ロックレバー１６に対してラジアル方向にばね付勢力が働くことで、所定値以上の外力トルクが作用しない限り、ばね付勢力により移動させられた位置で保持される。
【００２７】
装置本体側には、ロックレバー１６が突出部１６ｆとスライダ７が当接することでスライダ７をワイピング位置に係止した状態となったときに、ロックレバー１６の先端面１６ａが係止可能な係止部１３ｄが設けられている。係止部１３ｄがロックレバー１６の先端面１６ａに当接することで、ロックレバー１６は係止状態になる。
【００２８】
また、キャリッジ６には、ロックレバー１６の上端部１６ｂに当接可能なロック解除用の突出部６７（図２参照）が設けられている。ロック解除用の突出部６７は、キャリッジ６が記録領域へ向かって移動する際に、ロックレバー１６の上端部１６ｂに当接することで、ロックレバー１６を時計回りに回転移動させる。これによって、ロックレバー１６の先端面１６ａが係止部１３ｄから離れ、ロックレバー１６の係止状態が解除される。
【００２９】
本実施形態では、２つの吐出口面（吐出口面５１、５２）の両方を同時にキャッピングする同時キャッピングに加えて、２つの吐出口面のうち１つの吐出口面のみをキャッピングする単独キャッピングも可能である。
【００３０】
図５は本実施形態における単独キャッピングを説明するための図である。図５において、スライダ７が単独キャッピング位置にある状態の回復部１０４が示されている。キャップホルダ２Ｂには、搬送方向下流側の部位にキャップホルダカム部４Ｂが設けられている。また、装置本体側には、スライダ７が単独キャッピング位置にある状態においてキャップホルダカム部４Ｂと当接するようにカム部１３ｅが設けられている。これによって、スライダ７が単独キャッピング位置にある状態において、キャップホルダカム部４Ｂがカム部１３ｅに当接することにより押し下げられるため、キャップホルダ２Ｂに取り付けられたキャップ１Ｂも押し下げられる。その結果、キャップ１Ｂのキャッピングが解除され、キャップ１Ａのみが吐出口面５１をキャッピングする単独キャッピングの状態となる。
【００３１】
単独キャッピング位置から、スライダ７がキャリッジ６と共にさらに−Ｘ方向に移動すると、キャップホルダカム部４Ｂが本体に設けられたカム部１３ｅから離れる。吐出口面に向かって付勢されているキャップばねの付勢力により、キャップ１Ｂのキャッピングが回復される。その結果、スライダ７が同時キャッピング位置まで到達した際に、キャップ１Ａ、１Ｂが夫々吐出口面５１、５２をキャッピングする同時キャッピングの状態となる。
【００３２】
（スライダばね）
次に、スライダ７を退避位置へ向かって付勢するスライダばね（付勢部材）１７について説明する。図３に示すように、スライダ７には、記録領域から遠い側の端部における搬送方向下流側の部位に、スライダ７を退避位置へ向かって付勢するスライダばね１７の作用点側端部（作用点）を取り付ける作用点側ばね掛け部７ｃが設けられている。また、装置本体側には、スライダばね１７の固定点側端部（支点）を取り付ける固定点側ばね掛け部１３ｆが設けられている。
【００３３】
スライダ７は、スライダばね１７により、各突出部７ｂ（被規制部）をスライダカム１３ａのカム面（カム部材）に当接させた状態で、該カム面に沿って上下位置を制御されながらキャリッジ６の移動方向に移動可能に装着されている。キャリッジ６が−Ｘ方向に移動する際に、スライダ７が突き当て部７ａによりキャリッジ６の移動に追従して移動するが、キャリッジ６が記録領域に戻ると、スライダ７がスライダばね１７の付勢力によりＸ方向に移動して退避位置に戻る。以下、スライダばね１７の付勢力によるスライダ７のＸ方向の移動は、スライダ７のスライドと称する。
【００３４】
図６はスライダ７が退避位置にある状態の回復部１０４を示す一部破断正面図である。図６に示すように、スライダばね１７の作用点側ばね掛け部７ｃは、スライダ７の突出部７ｂよりも、上方に位置している。そのため、スライダばね１７の付勢力により、スライダ７には、スライダ７の突出部７ｂを中心とした反時計回りのモーメントが働く。一方、スライダ７の突き当て部７ａがキャリッジ６の側面と当接することでスライダ７がキャリッジ６の移動に追従して−Ｘ方向に移動する際には、スライダ７の突出部７ｂを中心とした時計回りのモーメントが働く。上述した作用点側ばね掛け部７ｃの配置により、時計回りのモーメントを低減させることができる。これによって、時計回りのモーメントにより発生する、スライダ７の突出部７ｂがスライダカム１３ａから受ける垂直抗力が低減され、その垂直抗力により発生する摩擦力が低減され、スライダ７の摺動負荷が低減される。
【００３５】
以上のように、退避位置においてスライダばね１７の作用点側ばね掛け部７ｃをスライダ７の突出部７ｂよりも上方に配置することにより、キャリッジ６の移動に追従して退避位置から−Ｘ方向に移動する際のスライダ７の摺動負荷を低減することができる。
【００３６】
また、図６に示すように、スライダ７が退避位置にある状態では、固定点側ばね掛け部１３ｆは作用点側ばね掛け部７ｃよりも上方に位置している。そのため、スライダ７はスライダばね１７によってベクトルＦ（ばね付勢力Ｆ）の方向に付勢される。このとき、スライダ７のスライド方向（Ｘ方向）とスライダばね１７の付勢方向（ベクトルＦ）は角度θをなしており、ばね付勢力Ｆはスライド方向成分である分力Ｆｘと、それと直交する成分である分力Ｆｚに分解される。そのため、スライダ７に働くスライド方向ばね付勢力Ｆｘは、ばね付勢力Ｆから分力Ｆｚ分だけ低減される。
【００３７】
図７はスライダ７がワイピング位置にある状態の回復部１０４を示す一部破断正面図である。図７に示すように、スライダ７がワイピング位置にある状態においても、固定点側ばね掛け部１３ｆは作用点側ばね掛け部７ｃよりも上方に位置している。スライダ７が退避位置にある状態と同様の理由により、スライダ７に働くスライド方向ばね付勢力が低減される。
【００３８】
図８はスライダ７が単独キャッピング位置にある状態の回復部１０４を示す一部破断正面図である。図８に示すように、スライダ７が単独キャッピング位置にある状態において、作用点側ばね掛け部７ｃが固定点側ばね掛け部１３ｆとおおむね同じ高さとなり、スライダ７のスライド方向とスライダばね１７の付勢方向（ベクトルＦ）は略平行となる。このとき、θ≒０、Ｆｚ≒０となり、Ｆｚを垂直抗力として発生する、スライダ７の突出部７ｂがスライダカム１３ａから受ける摩擦力分が低減される。そのため、スライダ７の摺動負荷が低減される。さらに、スライダばね１７の付勢力Ｆがおおむね全てスライドするための力として利用されるため、スライダばね１７の付勢力Ｆの絶対値を抑制することにもつながる。
【００３９】
図９はスライダ７が同時キャッピング位置にある状態の回復部１０４を示す一部破断正面図である。図９に示すように、スライダ７が同時キャッピング位置にある状態においても、作用点側ばね掛け部７ｃが固定点側ばね掛け部１３ｆとおおむね同じ高さとなる。スライダ７が単独キャッピング位置にある状態と同様の理由により、摺動負荷が低減される。さらに、スライダばね１７の付勢力Ｆがおおむね全てスライドするための力として利用されるため、スライダばね１７の付勢力Ｆの絶対値を抑制することにもつながる。
【００４０】
図１０（ａ）は各位置に応じたスライダばねの付勢力Ｆに対するスライド方向ばね付勢力Ｆｘの割合を示す図である。スライダ７が退避位置からワイピング位置に向かって、さらに単独キャッピング位置まで移動する際に、スライダばね１７の作用点がキャリッジ６の移動方向に直交（または交差）する方向においてスライダばね１７の支点に近づくように移動する。すなわち、スライダばね１７の付勢方向とスライダ７のスライド方向とのなす角度θは所定角度から０に近づくように減少する。それによって、スライダばね１７の付勢力Ｆに対するスライド方向ばね付勢力Ｆｘの割合は、所定割合から１００％に近づくように増大し、スライダ７が単独キャッピング位置に到達するとき、スライド方向ばね付勢力Ｆｘの割合がほぼ１００％になる。単独キャッピング位置から、スライダ７がさらに同時キャッピング位置に移動する際に、角度θがほぼ０に保持されているため、スライダばね１７の付勢力Ｆに対するスライド方向ばね付勢力Ｆｘの割合がほぼ１００％に保持されている。
【００４１】
１０（ａ）に示すように、スライダ７が単独キャッピング位置から退避位置に戻る際に、付勢力Ｆに対するスライド方向ばね付勢力Ｆｘの割合が１００％から徐々に減少する。それによって、ばね定数の小さいスライダばねを採用しても（ばねの伸び量に対する付勢力Ｆの絶対値の変化率が低くても）、スライド方向ばね付勢力Ｆｘは高い変化率で減少することが可能となる。
【００４２】
図１０（ｂ）は各位置に応じたスライド方向ばね付勢力を示す図である。本実施形態のスライダばね１７の配置によっては、ばね定数の小さいスライダばねを採用した場合に、退避位置と単独キャッピング位置の間において、ばね定数の大きいスライダばねを採用した場合と同じように高い変化率でスライド方向ばね付勢力が変化する。そのため、スライダ７が退避位置に戻る際にスライド方向付勢力を十分に低減することが可能となり、退避位置に戻る際の衝突による騒音の低減が実現できる。
【００４３】
また、図１０（ｂ）に示すように、ばね定数の小さいスライダばねを採用した場合に、スライダ７が単独キャッピング位置からさらに遠い位置に移動する際に、スライド方向ばね付勢力Ｆｘは低い変化率で増大する。そのため、スライダ７が単独キャッピング位置あるいは同時キャッピング位置といった退避位置から遠い位置にある際の駆動負荷抑制が実現できる。さらに、図８、９に参照して説明したように、本実施形態のスライダばね１７の配置によって、スライダ７が単独キャッピング位置からさらに遠い位置に移動する際に、スライダばね１７の付勢力Ｆがおおむね全てスライドするための力として利用される。これによって、スライダばね１７の付勢力Ｆの絶対値の抑制につながるので、駆動負荷がさらに抑制される。
【００４４】
［実施形態２］
実施形態１のインクジェット記録装置において、スライダ７に対してワイパー８、９及びキャップ１Ａ、１Ｂが取り付けられたキャップホルダ２Ａ、２Ｂが取り付けられている。本実施形態のインクジェット記録装置では、キャップ１Ａ、１Ｂが取り付けられたキャップホルダ２Ａ、２Ｂを、スライダ７とは別のスライダに取り付け、そのスライダを、記録領域を挟んで反対側に配置する。反対側に配置されたスライダは、スライダばね１７とは別のスライダばねによって退避位置へ付勢されるが、そのスライダばねはスライドばね１７と類似に配置される。
【００４５】
（他の実施形態）
上述の実施形態では、メインタンクに貯留したインクを、記録ヘッドと一体化したサブタンクを介して記録ヘッドへ供給したインクジェット記録装置を例に本発明の説明を行った。しかし、記録ヘッドと一体化したインクタンクのみを備えるインクジェット記録装置に対しても、本発明は有効である。
【符号の説明】
【００４６】
１Ａ、１Ｂ  キャップ
２Ａ、２Ｂ  キャップホルダ
４Ｂ  キャップホルダカム部
５  記録ヘッド
６  キャリッジ
７  スライダ
７ｃ  作用点側ばね掛け部
８、９  ワイパー
１３ｆ  固定側ばね掛け部
１７  スライダばね
１０４  回復部
【図１】
0006671925.tif 000002
【図２】
0006671925.tif 000003
【図３】
0006671925.tif 000004
【図４】
0006671925.tif 000005
【図５】
0006671925.tif 000006
【図６】
0006671925.tif 000007
【図７】
0006671925.tif 000008
【図８】
0006671925.tif 000009
【図９】
0006671925.tif 000010
【図１０】
0006671925.tif 000011
【図１１】
0006671925.tif 000012
【図１２】
0006671925.tif 000013